(57)【要約】【課題】バッテリの電圧が低下した場合に、必要にして十分な電力を電子機器へ供給することができる電源制御装置、電源制御システム、および電源制御方法を提供すること。【解決手段】実施形態に係る電源制御装置は、第１蓄電器と第２蓄電器とを備える。第１蓄電器は、複数の電子機器へ電力を供給するバッテリによって充電され、バッテリの電圧が低下した場合に、バッテリに代わって複数の電子機器への電力供給を行う。第２蓄電器は、バッテリによって充電され、第１蓄電器よりも容量が大きく、第１蓄電器による電力供給が行われた後に、第１蓄電器に代わって複数の電子機器への電力供給を行う。【選択図】図１
2018117475.tif 000002
【特許請求の範囲】
【請求項１】
複数の電子機器へ電力を供給するバッテリによって充電され、前記バッテリの電圧が低下した場合に、前記バッテリに代わって前記複数の電子機器への電力供給を行う第１蓄電器と、
前記バッテリによって充電され、前記第１蓄電器よりも容量が大きく、前記第１蓄電器による前記電力供給が行われた後に、前記第１蓄電器に代わって前記複数の電子機器への電力供給を行う第２蓄電器と
を備えることを特徴とする電源制御装置。
【請求項２】
前記第１蓄電器の出力電圧を第１電圧に変圧して出力する第１変圧器と、
前記第１変圧器の電力出力部にアノードが接続され、前記複数の電子機器の電力入力部にカソードが接続される第１ダイオードと、
前記第２蓄電器の出力電圧を前記第１電圧よりも低い第２電圧に変圧して出力する第２変圧器と、
前記第２変圧器の電力出力部にアノードが接続され、前記第１ダイオードのカソードと前記複数の電子機器とを接続する配線にカソードが接続される第２ダイオードと
を備えることを特徴とする請求項１に記載の電源制御装置。
【請求項３】
前記第１蓄電器の出力電圧を所定電圧に変圧して出力する第１変圧器と、
前記第２蓄電器の出力電圧を前記所定電圧に変圧して出力する第２変圧器と、
前記第１変圧器の電力出力部および前記複数の電子機器の電力入力部を接離可能に接続し、前記バッテリの電圧が低下して所定時間後に、オンからオフに切り替わる第１ＦＥＴ（Field  Effect  Transistor）と、
前記第２変圧器の電力出力部および前記複数の電子機器の電力入力部を接離可能に接続し、前記第１ＦＥＴがオンからオフに切り替わる場合に、オフからオンに切り替わる第２ＦＥＴと
を備えることを特徴とする請求項１に記載の電源制御装置。
【請求項４】
前記バッテリの電圧を検知し、当該電圧が低下した場合に、前記第２変圧器を起動させる第１電圧検知部と、
前記第２変圧器の出力電圧を検知し、当該出力電圧が前記所定電圧未満の期間は、前記第１ＦＥＴをオンにし、前記第２ＦＥＴをオフにし、当該出力電圧が前記所定電圧に達した場合に、前記第１ＦＥＴをオフにし、前記第２ＦＥＴをオンにする第２電圧検知部と
を備えることを特徴とする請求項３に記載の電源制御装置。
【請求項５】
アノードが前記バッテリに接続され、カソードが前記第１蓄電器に接続されるダイオードと、
前記バッテリおよび前記第１変圧器を接続する配線と、前記第１蓄電器とを接離可能に接続し、前記バッテリの電圧が閾値を超える場合にオンになり、前記第１蓄電器の充電が完了した場合にオフになり、前記バッテリの電圧が前記閾値以下になる場合にオンになるスイッチと
をさらに備えることを特徴とする請求項２〜４のいずれか一つに記載の電源制御装置。
【請求項６】
アノードが前記バッテリに接続され、カソードが前記第１蓄電器に接続されるダイオードと、
当該ダイオードに並列に接続され、前記バッテリの出力電圧が閾値を超える期間はオンになり、前記バッテリの電圧が前記閾値以下になる場合にオフになるＦＥＴと
をさらに備えることを特徴とする請求項２〜４のいずれか一つに記載の電源制御装置。
【請求項７】
前記バッテリと前記第１蓄電器および前記第１変圧器とを接離可能に接続し、前記バッテリの出力電圧が閾値を超える期間はオンになり、前記バッテリの電圧が前記閾値以下になる場合にオフになるスイッチ
をさらに備えることを特徴とする請求項２〜４のいずれか一つに記載の電源制御装置。
【請求項８】
前記バッテリからの電力供給が途絶えた場合に、前記複数の電子機器に含まれるカーナビゲーション装置およびドライブレコーダを除く電子機器への電力供給を遮断するスイッチ
をさらに備えることを特徴とする請求項１〜７のいずれか一つに記載の電源制御装置。
【請求項９】
カーナビゲーション装置およびドライブレコーダを含む複数の電子機器と、
前記複数の電子機器へ電力を供給するバッテリによって充電され、前記バッテリの電圧が低下した場合に、前記バッテリに代わって前記複数の電子機器への電力供給を行う第１蓄電器と、
前記バッテリによって充電され、前記第１蓄電器よりも容量が大きく、前記第１蓄電器による前記電力供給が行われた後に、前記第１蓄電器に代わって前記複数の電子機器への電力供給を行う第２蓄電器と
を備えることを特徴とする電源制御システム。
【請求項１０】
複数の電子機器へ電力を供給するバッテリによって充電される第１蓄電器が、前記バッテリの電圧が低下した場合に、前記バッテリに代わって前記複数の電子機器への電力供給を行う工程と、
前記バッテリによって充電され、前記第１蓄電器よりも容量が大きい第２蓄電器が、前記第１蓄電器による前記電力供給が行われた後に、前記第１蓄電器に代わって前記複数の電子機器への電力供給を行う工程と
を含むことを特徴とする電源制御方法。
【発明の詳細な説明】
【技術分野】
【０００１】
開示の実施形態は、電源制御装置、電源制御システム、および電源制御方法に関する。
【背景技術】
【０００２】
従来、電子機器へ電力を供給するバッテリの電圧が低下した場合に、電子機器へ適正な電圧の電力を供給する装置がある。例えば、特許文献１には、車両に搭載される電子機器へ電力を供給するバッテリによって充電される蓄電器を備え、セルモータの駆動などによってバッテリの電圧が低下した場合に、蓄電器から電子機器へ適正な電圧の電力を供給する電圧保障装置が開示されている。
【先行技術文献】
【特許文献】
【０００３】
【特許文献１】特開２０１２−１６５５１８号公報
【発明の概要】
【発明が解決しようとする課題】
【０００４】
しかしながら、従来の電圧保障装置は、種々の電子機器が接続されたバッテリの電圧が低下する場合、電子機器の機能や役目によって各電子機器の動作保障に必要な電力が異なるため、状況によっては、電子機器へ供給する電力に過不足が生じる場合がある。
【０００５】
実施形態の一態様は、上記に鑑みてなされたものであって、バッテリの電圧が低下した場合に、必要にして十分な電力を電子機器へ供給することができる電源制御装置、電源制御システム、および電源制御方法を提供することを目的とする。
【課題を解決するための手段】
【０００６】
実施形態の一態様に係る電源制御装置は、第１蓄電器と第２蓄電器とを備える。第１蓄電器は、複数の電子機器へ電力を供給するバッテリによって充電され、前記バッテリの電圧が低下した場合に、前記バッテリに代わって前記複数の電子機器への電力供給を行う。第２蓄電器は、前記バッテリによって充電され、前記第１蓄電器よりも容量が大きく、前記第１蓄電器による前記電力供給が行われた後に、前記第１蓄電器に代わって前記複数の電子機器への電力供給を行う。
【発明の効果】
【０００７】
実施形態の一態様に係る電源制御装置、電源制御システム、および電源制御方法は、バッテリの電圧が低下した場合に、必要にして十分な電力を電子機器へ供給することができる。
【図面の簡単な説明】
【０００８】
【図１】図１は、実施形態に係る電源制御装置が行う電源制御方法を示す説明図である。
【図２】図２は、実施形態に係る源制御システムの構成の一例を示す説明図である。
【図３】図３は、実施形態に係る電源制御装置の動作の一例を示すタイミングチャートである。
【図４】図４は、実施形態の変形例１に係る電源制御システムの構成の一例を示す説明図である。
【図５】図５は、実施形態に係る電源制御装置の動作の一例を示すタイミングチャートである。
【図６】図６は、実施形態の変形例２に係る電源制御システムの構成の一例を示す説明図である。
【図７Ａ】図７Ａは、実施形態の変形例３に係る電源制御装置の動作説明図である。
【図７Ｂ】図７Ｂは、実施形態の変形例３に係る電源制御装置の動作説明図である。
【図７Ｃ】図７Ｃは、実施形態の変形例３に係る電源制御装置の動作説明図である。
【図８Ａ】図８Ａは、実施形態の変形例３に係る電源制御装置による作用効果を示す説明図である。
【図８Ｂ】図８Ｂは、実施形態の変形例３に係る電源制御装置による作用効果を示す説明図である。
【図８Ｃ】図８Ｃは、実施形態の変形例３に係る電源制御装置による作用効果を示す説明図である。
【図９Ａ】図９Ａは、実施形態の変形例４に係る電源制御装置の動作説明図である。
【図９Ｂ】図９Ｂは、実施形態の変形例４に係る電源制御装置の動作説明図である。
【図１０Ａ】図１０Ａは、実施形態の変形例５に係る電源制御装置の動作説明図である。
【図１０Ｂ】図１０Ｂは、実施形態の変形例５に係る電源制御装置の動作説明図である。
【発明を実施するための形態】
【０００９】
以下、添付図面を参照して、本願の開示する電源制御装置、電源制御システム、および電源制御方法の実施形態を詳細に説明する。なお、以下に示す実施形態によりこの発明が限定されるものではない。
【００１０】
以下では、車両に搭載されるバッテリから複数の電子機器の一例である車載装置へ供給する電力を制御する車載用の電源制御装置を例に挙げて説明する。なお、実施形態に係る電源制御装置は、車載用に限定されるものではなく、バッテリから複数の電子機器へ電力を供給する任意のシステムに適用することができる。
【００１１】
図１は、実施形態に係る電源制御装置１が行う電源制御方法を示す説明図である。なお、図１には、電源制御装置１が行う電源制御方法の説明に必要な最低限の構成要素を図示している。かかる電源制御装置１の具体的な構成例については、図２を参照して後述する。
【００１２】
図１に示すように、電源制御装置１は、バッテリ２０から電力の入力を受け付け、複数の電子機器２１へ電力を供給する装置である。電源制御装置１は、第１蓄電器２と第２蓄電器３とを備える。第１蓄電器２および第２蓄電器３は、バッテリ２０と電子機器２１とを接続する給電線に接続され、バッテリ２０によって充電される。
【００１３】
第１蓄電器２は、第２蓄電器３よりも容量が小さく、バッテリ２０の電圧が低下した場合に、バッテリ２０に代わって複数の電子機器２１への電力供給を行う。また、第２蓄電器３は、第１蓄電器２よりも容量が大きく、第１蓄電器２による複数の電子機器２１への電力供給が行われた後に、第１蓄電器２に代わって複数の電子機器２１への電力供給を行う。
【００１４】
つまり、電源制御装置１は、バッテリ２０の電圧が適切な電圧に維持されており、電圧が低下しない場合、図１に太線矢印Ｌ１で示す経路でバッテリ２０から複数の電子機器２１へ電力の供給を行う。そして、電源制御装置１は、バッテリ２０の電圧が低下した場合、まず、図１に太線矢印Ｌ２で示す経路でバッテリ２０に代わり、第１蓄電器２から複数の電子機器２１へ電力の供給を行う。
【００１５】
このとき、電源制御装置１は、バッテリ２０の電圧が低下する期間が微小時間である場合、第２蓄電器３に充電された電力を無駄に使用することなく、第１蓄電器２に充電された電力によって、電子機器２１の動作を保障することができる。また、第１蓄電器２は、バッテリ２０の電圧が再度適正な電圧に復帰した場合、バッテリ２０によって充電される。
【００１６】
また、電源制御装置１は、第１蓄電器２から複数の電子機器２１への電力供給を行った後、バッテリ２０の電圧が適正な電圧に復帰しない場合、図１に太線矢印Ｌ３で示す経路で、第１蓄電器２に代わって第２蓄電器３から複数の電子機器２１への電力供給を行う。
【００１７】
このように、電源制御装置１は、バッテリ２０の電圧低下期間が微小時間である場合には、第２蓄電器３に充電された電力を使用せず、第１蓄電器２に充電された必要最小限の電力によって電子機器２１の動作を保障することができる。
【００１８】
そして、電源制御装置１は、第１蓄電器２に充電された電力では電子機器２１の動作を保障できないような場合、つまり、必要な場合に限り、第２蓄電器３に充電された電力によって電子機器２１の動作を保障する。これにより、電源制御装置１は、必要にして十分な電力を複数の電子機器２１へ供給することができる。
【００１９】
次に、図２を参照し、電源制御装置１を含む電源制御システム１００の構成の一例について説明する。図２は、実施形態に係る電源制御システム１００の構成の一例を示す説明図である。
【００２０】
図２に示すように、電源制御システム１００は、電源制御装置１と、複数の電子機器の一例である外部装置２２、制御装置２３、ドライブレコーダ（以下、「ＤＲ２４」と記載する）、およびＡＶＮ：Audio  Visual  Navigation（登録商標）２５を含む。
【００２１】
電源制御装置１は、電力の入力部がバッテリ２０に接続され、電力の出力部が外部装置２２、制御装置２３、ＤＲ２４、およびＡＶＮ２５に接続される。なお、電源制御装置１が電力を供給する電子機器２１は、外部装置２２、制御装置２３、ＤＲ２４、およびＡＶＮ２５に限定されるものではない。
【００２２】
バッテリ２０は、一般的な車両に搭載される１２Ｖの鉛蓄電器である。外部装置２２は、例えば、ＵＳＢ（Universal  Serial  Bus）によって電源制御装置１に接続される携帯端末装置やオーディオプレーヤ等である。
【００２３】
ＤＲ２４は、例えば、搭載される車両から前方を撮像するカメラや、カメラによって撮像された映像を記録する映像記録装置等を含む。かかるＤＲ２４は、例えば、車両が走行中に常時映像を記録し、新たな映像を記録する毎に、所定時間（例えば、数時間）前の古い映像から順に消去する。
【００２４】
また、ＤＲ２４は、例えば、事故が発生した場合、事故の証拠や事故原因究明の材料となる事故の発生前後数ｓｅｃ間（例えば、５ｓｅｃ〜８ｓｅｃ）の映像を記録する。ＡＶＮ２５は、例えば、オーディオ装置、テレビ装置、ラジオ装置、ビデオ再生装置、およびカーナビゲーション装置等の複数の装置が一体化された装置である。
【００２５】
制御装置２３は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。そして、制御装置２３は、ＣＰＵがＲＯＭに記憶された物標検知プログラムを、ＲＡＭを作業領域として使用して実行することにより機能するＡＶＮ制御部３１およびＤＲ制御部３２を備える。
【００２６】
ＡＶＮ制御部３１は、図２に点線矢印で示すように、ＡＶＮ２５へ制御信号を出力することによってＡＶＮ２５の動作制御を行う処理部である。ＤＲ制御部３２は、図２に点線矢印で示すように、ＤＲ２４へ制御信号を出力することによってＤＲ２４の動作制御を行う処理部である。
【００２７】
かかる制御装置２３は、例えば、セルモータが駆動されてエンジンのクランキングが行われる微小時間（例えば、５０ｍｓｅｃ）の間に、バッテリ２０の電圧が低下して供給される電力の電圧が適正な電圧以下になると、正常な動作制御を行うことができなくなる。
【００２８】
以下、このように、バッテリ２０の電圧が微小時間の間、適正な電圧以下になる現象を「瞬断」と称する。なお、かかる瞬断は、エンジンが始動後に解消され、バッテリ２０の電圧が適正な電圧に復帰する。
【００２９】
また、制御装置２３は、例えば、車両事故が発生し、その衝撃でバッテリ２０が外れて給電線が断線した場合、バッテリ２０からの電力供給が遮断されるので、正常な動作制御を行うことができなくなる。以下、このように、バッテリ２０からの電力供給が遮断される現象を「バッテリ外れ」と称する。
【００３０】
このため、電源制御装置１は、例えば、瞬断が発生した場合に、少なくとも数十ｍｓｅｃの間、適正な電圧の電力を制御装置２３へ供給し、ＡＶＮ制御部３１にＡＶＮ２５のリセット処理を行わせ、ＤＲ制御部３２にＤＲ２４のリセット処理を行わせる必要がある。なお、ここでのリセット処理は、例えば、ＤＲ２４やＡＶＮ２５における瞬断発生直前の状態をメモリに保持する処理である。
【００３１】
また、電源制御装置１は、例えば、バッテリ外れが発生した場合にも、少なくとも数ｓｅｃの間、適正な電圧の電力を制御装置２３へ供給し、ＤＲ２４によって映像の記録を継続させる制御をＤＲ制御部３２に行わせる必要がある。なお、外部装置２２は、瞬断やバッテリ外れの発生直後に、電力供給が遮断されても問題のない装置である。
【００３２】
そこで、電源制御装置１は、バッテリ２０によって充電される第１蓄電器２と、バッテリ２０によって充電され、第１蓄電器２よりも容量が大きな第２蓄電器３とを備える。さらに、電源制御装置１は、第１変圧器４、第２変圧器５、第３変圧器６、第４変圧器８、充電回路７、第１ダイオードＤ１、第２ダイオードＤ２、および第３ダイオードＤ３を備える。
【００３３】
具体的は、電源制御装置１では、バッテリ２０に接続される配線と外部装置２２との間に、第４変圧器８が直列に接続される。第４変圧器８は、降圧ＤＣ／ＤＣコンバータであり、バッテリ２０の電圧である１２Ｖを５Ｖに降圧して外部装置２２へ出力する。
【００３４】
電源制御装置１では、バッテリ２０に接続される配線と制御装置２３との間に、第３ダイオードＤ３、第１変圧器４、および第１ダイオードＤ１が直列に接続される。第３ダイオードＤ３は、アノードがバッテリ２０に接続され、カソードが第１変圧器４の入力に接続される。かかる第３ダイオードＤ３は、バッテリ２０の電圧が低下した場合に、逆電圧保護素子として機能する。
【００３５】
また、第３ダイオードＤ３のカソードと第１変圧器４とを接続する配線には、第１蓄電器２の一方の電極が接続される。第１蓄電器２の他方の電極は接地される。かかる第１蓄電器２は、例えば、比較的耐圧の高く容量が第２蓄電器３よりも小さな電解コンデンサであり、バッテリ２０によって１２Ｖに充電される。
【００３６】
第１変圧器４は、例えば、降圧ＤＣ／ＤＣコンバータであり、第１蓄電器２の出力電圧を第１電圧の一例である３．３Ｖに降圧して第１ダイオードＤ１へ出力する。第１ダイオードＤ１は、アノードが第１変圧器４の出力に接続され、カソードが制御装置２３に接続される。
【００３７】
これにより、電源制御装置１は、例えば、瞬断が発生してバッテリ２０の電圧が数十ｍｓｅｃ間低下した場合に、バッテリ２０に代わって、第１蓄電器２から制御装置２３へ適正な電圧の電力を供給することができる。
【００３８】
また、第１ダイオードＤ１のカソードは、ＤＲ２４にも接続される。また、第１変圧器４の出力は、ＡＶＮ２５にも接続される。これにより、第１蓄電器２は、瞬断が発生した場合に、数十ｍｓｅｃ間であれば、ＤＲ２４およびＡＶＮ２５へ適正な電圧の電力を供給することができる。
【００３９】
なお、電源制御装置１は、瞬断の発生時に、さらに別の電子機器へ電力の供給が必要な場合、第１蓄電器２の前段に昇圧回路を備え、昇圧回路によってバッテリ２０の電圧を、例えば、２４Ｖまで昇圧して第１蓄電器２を充電する構成であってもよい。これにより、第１蓄電器２は、瞬断の発生時に、外部装置２２、制御装置２３、ＤＲ２４、およびＡＶＮ２５以外の電子機器にも電力の供給が可能となる。
【００４０】
また、電源制御装置１では、第１蓄電器２と第１変圧器４とを接続する配線と、ＤＲ２４との間に、第３変圧器６、充電回路７、第２変圧器５、および第２ダイオードＤ２が直列に接続される。
【００４１】
また、充電回路７と第２変圧器５とを接続する配線には、第２蓄電器３の一方の電極が接続される。第２蓄電器３の他方の電極は接地される。かかる第２蓄電器３は、例えば、比較的耐圧の低く容量が第１蓄電器２よりも大きな電気二重層コンデンサである。
【００４２】
第３変圧器６は、例えば、降圧ＤＣ／ＤＣコンバータであり、第１蓄電器２の出力電圧を５Ｖに降圧して充電回路７へ出力する。なお、第３変圧器６と充電回路７とを接続する配線には、ＡＶＮ２５が接続される。これにより、第１蓄電器２は、瞬断が発生した場合に、数十ｍｓｅｃ間であれば、第３変圧器６を介してＡＶＮ２５へ適正な電圧の電力を供給することができる。
【００４３】
充電回路７は、第２蓄電器３を５Ｖに充電する。第２変圧器５は、降圧ＤＣ／ＤＣコンバータであり、第２蓄電器３の出力電圧を第１電圧よりも低い第２電圧の一例である３．１Ｖに降圧して第２ダイオードＤ２へ出力する。
【００４４】
第２ダイオードＤ２は、アノードが第２変圧器５の出力に接続され、カソードがＤＲ２４に接続される。さらに、第２ダイオードＤ２のカソードは、第１ダイオードＤ１のカードと制御装置２３とを接続する配線にも接続される。
【００４５】
かかる電源制御装置１は、第１ダイオードＤ１から第２ダイオードＤ２の出力電圧である３．１Ｖよりも高い３．３Ｖの電圧が出力されている間は、第１ダイオードＤ１から制御装置２３およびＤＲ２４へ電力を供給する。そして、電源制御装置１では、第１ダイオードＤ１の出力電圧が、第２ダイオードＤ２の出力電圧である３．１Ｖよりも低くなると、第２ダイオードＤ２から制御装置２３およびＤＲ２４へ電力を供給する。
【００４６】
これにより、電源制御装置１は、瞬断が発生した場合に、少なくとも数十ｍｓｅｃの間、第１蓄電器２から第１変圧器４および第１ダイオードＤ１を介して、制御装置２３およびＤＲ２４へ電力を供給することができる。これにより、電源制御装置１は、制御装置２３へリセット処理のために必要最小限の電力を供給することができる。
【００４７】
また、電源制御装置１は、バッテリ外れが発生した場合、まず、数十ｍｓｅｃの間、第１蓄電器２から第１変圧器４および第１ダイオードＤ１を介して、制御装置２３およびＤＲ２４へ電力を供給することができる。その後、電源制御装置１は、第１蓄電器２の放電が終了すると、少なくとも数ｓｅｃの間、第２蓄電器３から第２変圧器５および第２ダイオードＤ２を介して、制御装置２３およびＤＲ２４へ電力を供給することができる。
【００４８】
これにより、電源制御装置１は、バッテリ外れが発生してから数ｓｅｃの間、ＤＲ２４による映像の記録を継続させるのに十分な電力を制御装置２３およびＤＲ２４へ供給することができる。したがって、電源制御装置１は、バッテリ２０の電圧が低下した場合に、必要にして十分な電力を制御装置２３およびＤＲ２４へ供給することができる。
【００４９】
このように、電源制御装置１は、第１ダイオードＤ１および第２ダイオードＤ２との出力電圧の違いを利用したＯＲという簡易な回路構成によって、第１蓄電器２からの電力供給が終了した後、自動的に第２蓄電器３からの電力供給を開始することができる。
【００５０】
次に、図３を参照し、電源制御装置１の動作の一例について説明する。図３は、実施形態に係る電源制御装置１の動作の一例を示すタイミングチャートである。図３には、上段にバッテリ２０の供給電圧の推移、中段に第１蓄電器２の電圧の推移、下段に制御装置２３、ＤＲ２４への給電電圧の推移を示している。なお、図３に示す横軸は、時刻である。
【００５１】
図３に示すように、例えば、時刻ｔ１で車両のＡＣＣ（アクセサリスイッチ）がオンになると、電源制御装置１では、第１蓄電器２の充電が開始され、第１蓄電器２の電圧が０Ｖから１２Ｖまで徐々に上昇する。これに伴い、第１変圧器４が起動され、制御装置２３およびＤＲ２４への給電電圧が０Ｖから３．３Ｖまで上昇する。
【００５２】
その後、時刻ｔ２で瞬断が発生すると、バッテリ２０の供給電圧が低下する。このとき、仮に第１蓄電器２が設けられていなければ、図３の下段に破線で示すように、制御装置２３およびＤＲ２４への供給電圧は、バッテリ２０の供給電圧の低下に伴って低下する。
【００５３】
これに対して、電源制御装置１は、第１蓄電器２を備えているため、バッテリ２０に代わって第１蓄電器２に充電された電力を制御装置２３およびＤＲ２４へ供給することにより、制御装置２３およびＤＲ２４への供給電圧を３．３Ｖに維持することができる。これにより、電源制御装置１は、制御装置２３へリセット処理のために必要な最小限の電力を供給することができる。
【００５４】
その後、電源制御装置１は、第１蓄電器２の放電が完了する前の時刻ｔ３で瞬断が解消されると、バッテリ２０の供給電圧が徐々に１２Ｖまで復帰し、これに伴って第１蓄電器２の充電が開始され、第１蓄電器２の電圧も１２Ｖまで徐々に上昇する。
【００５５】
その後、電源制御装置１は、時刻５ｔでバッテリ外れが発生すると、第１蓄電器２が放電し、第１蓄電器２の電圧が０Ｖになる時刻ｔ６まで、第１蓄電器２に充電された電力を制御装置２３およびＤＲ２４へ供給する。これにより、電源制御装置１は、制御装置２３およびＤＲ２４への供給電圧を３．３Ｖに維持することができる。
【００５６】
そして、電源制御装置１は、時刻ｔ６で第１蓄電器２の電圧が０Ｖになると、第１蓄電器２に代わって、第２蓄電器３に充電された電力を制御装置２３およびＤＲ２４へ供給する。これに伴い、制御装置２３およびＤＲ２４への供給電圧は、３．３Ｖから３．１Ｖに低下するが、電源制御装置１は、時刻ｔ７から数ｓｅｃの間は、制御装置２３およびＤＲ２４への供給電圧を３．１Ｖに維持することができる。
【００５７】
これにより、電源制御装置１は、バッテリ外れが発生してから数ｓｅｃの間、ＤＲ２４による映像の記録を継続させるのに十分な電力を制御装置２３およびＤＲ２４へ供給することができる。電源制御装置１は、瞬断やバッテリ外れが発生した場合に、必要にして十分な電力を制御装置２３およびＤＲ２４へ供給することができる。
【００５８】
なお、図２に示す電源制御装置１の構成は、一例であり種々の変形が可能である。次に、図４を参照し、変形例１に係る電源制御装置１ａを含む電源制御システム１０１の構成の一例について説明する。図４は、実施形態の変形例１に係る電源制御システム１０１の構成の一例を示す説明図である。
【００５９】
図４に示すように、電源制御システム１０１は、電源制御装置１ａの構成が図２に示す電源制御装置１とは異なり、その他の構成は、図２に示すものと同様の構成である。このため、ここでは、変形例１に係る電源制御装置１ａと図２に示す電源制御装置１との相違点について説明する。
【００６０】
電源制御装置１ａは、第１ダイオードＤ１に替えて、第１ＦＥＴ（Field  Effect  Transistor）ｔｒ１を備え、第２ダイオードＤ２に替えて、第２ＦＥＴｔｒ２を備える。第１ＦＥＴｔｒ１および第２ＦＥＴｔｒ２は、ＰチャネルＭＯＳ（Metal  Oxide  Semiconductor）ＦＥＴである。なお、第１ＦＥＴｔｒ１には、逆電圧保護用のダイオードＤ４が並列に接続され、第２ＦＥＴｔｒ２には、逆電圧保護用のダイオードＤ５が並列に接続される。
【００６１】
第１ＦＥＴｔｒ１は、バッテリ２０の電圧が適正電圧である期間はオン状態を維持する。そして、第１ＦＥＴｔｒ１は、バッテリ２０の電圧が低下して所定時間（例えば、数十ｍｓｅｃ）経過後にオンからオフに切り替わる。
【００６２】
これにより、電源制御装置１ａは、バッテリ２０の電圧が低下して所定時間が数十ｍｓｅｃが経過するまで、第１蓄電器２から第１変圧器４、配線Ｖ１、第１ＦＥＴｔｒ１、配線Ｖ２を介して、ＤＲ２４、ＡＶＮ２５へ適正な電圧の電力を供給することができる。
【００６３】
また、第２ＦＥＴｔｒ２は、第１ＦＥＴｔｒ１がオンからオフに切り替わる場合に、オフからオンに切り替わる。これにより、電源制御装置１ａは、第２蓄電器３から配線Ｖ３、第２変圧器５、配線Ｖ４、第２ＦＥＴｔｒ２、配線Ｖ２を介して、ＤＲ２４およびＡＶＮ２５へ適正な電圧の電力を供給することができる。
【００６４】
つまり、電源制御装置１ａは、瞬断やバッテリ外れが発生した場合に、図２に示す電源制御装置１と同様の電力供給を行うことによって、必要にして十分な電力を制御装置２３およびＤＲ２４へ供給することができる。
【００６５】
しかも、電源制御装置１ａは、第１ダイオードＤ１および第２ダイオードＤ２に比べて電力損失が少ない第１ＦＥＴｔｒ１または第２ＦＥＴｔｒ２を介して、電力を制御装置２３およびＤＲ２４へ供給することにより給電効率を向上させることができる。
【００６６】
そして、電源制御装置１ａは、上記した電力の供給動作を実現するために、第１電圧検知部９、第２電圧検知部１０、第３ＦＥＴｔｒ３、および抵抗Ｒを備える。なお、第３ＦＥＴｔｒ３は、ＮチャネルＭＯＳＦＥＴである。第３ＦＥＴｔｒ３には、逆電圧保護用のダイオードＤ６が並列に接続される。
【００６７】
第１電圧検知部９は、バッテリ２０と第２変圧器５とに接続され、バッテリ２０の電圧が低下した場合に、第２変圧器５へ起動信号ＥＮを出力する。なお、ここでの第２変圧器５は、第２蓄電器３の出力電圧を５Ｖから第１変圧器４の出力電圧と同じ３．３Ｖに降圧して出力する。
【００６８】
第２電圧検知部１０は、第２変圧器５が電力を出力する配線Ｖ４と、第１ＦＥＴｔｒ１のゲート、および第３ＦＥＴｔｒ３のゲートに接続される。第３ＦＥＴｔｒ３は、ソースが接地され、ドレインが第２ＦＥＴｔｒ２のゲートに接続される。なお、第３ＦＥＴｔｒ３のドレインと第２ＦＥＴｔｒ２のソースとは抵抗Ｒを介して接続される。
【００６９】
第２電圧検知部１０は、第２変圧器５が電力を出力する配線Ｖ４の出力電圧を検知する。そして、第２電圧検知部１０は、第２変圧器５の出力電圧が所定電圧（例えば、３．３Ｖ）未満の期間は、Ｌｏｗレベルのゲート信号Ｇ１を出力することによって、第１ＦＥＴｔｒ１をオンにし、第３ＦＥＴｔｒ３をオフにして、第２ＦＥＴｔｒ２をオフにする。
【００７０】
そして、第２電圧検知部１０は、第２変圧器５の出力電圧が３．３Ｖに達した場合に、Ｈｉｇｈレベルのゲート信号Ｇ１を出力することによって、第１ＦＥＴｔｒ１をオフにし、第３ＦＥＴｔｒ３をオンにして、第２ＦＥＴｔｒ２をオンにする。
【００７１】
これにより、電源制御装置１ａは、バッテリ２０の電圧が低下して第２変圧器５の出力電圧が３．３Ｖに達するまでの間、第１蓄電器２から第１変圧器４、配線Ｖ１、第１ＦＥＴｔｒ１、配線Ｖ２を介して、制御装置２３、ＤＲ２４へ適正な電圧の電力を供給する。電源制御装置１ａは、この期間に例えば、瞬断が解消する場合、第２蓄電器３に充電された電力を使用せずに保持することができる。
【００７２】
そして、電源制御装置１ａは、第２変圧器５の出力電圧が３．３Ｖに達した場合に、第２蓄電器３から配線Ｖ３、第２変圧器５、配線Ｖ４、第２ＦＥＴｔｒ２、配線Ｖ２を介して、制御装置２３およびＤＲ２４へ適正な電圧の電力を供給することができる。
【００７３】
したがって、電源制御装置１ａは、瞬断やバッテリ外れが発生した場合に、図２に示す電源制御装置１と同様に、必要にして十分な電力を制御装置２３およびＤＲ２４へ供給することができる。
【００７４】
次に、図５を参照し、電源制御装置１ａの動作の一例について説明する。図５は、実施形態に係る電源制御装置１ａの動作の一例を示すタイミングチャートである。図５には、上段から下段へ順に、バッテリ２０の供給電圧、第１蓄電器２の電圧、配線Ｖ１、Ｖ２、Ｖ３、Ｖ４、起動信号ＥＮ、ゲート信号Ｇ１の電圧の推移を示している。なお、図５に示す横軸は、時刻である。
【００７５】
図５に示すように、時刻ｔ１１で車両のＡＣＣがオンになると、電源制御装置１ａでは、第１蓄電器２の充電が開始され、第１蓄電器２の電圧が上昇する。このとき、第１ＦＥＴｔｒ１がオンとなっている。このため、第１変圧器４から制御装置２３およびＤＲ２４に至る給電経路となる配線Ｖ１、Ｖ２の電圧が上昇する。
【００７６】
なお、このとき、第１蓄電器２に充電される電力によって、第２蓄電器３も充電されるが、第２蓄電器３の充電電圧は、耐圧を考慮して第１蓄電器２の充電電圧よりも低く抑えられる。このため、第２蓄電器３の出力に接続される配線Ｖ３の電圧は、第１蓄電器２の電圧よりも緩やかに上昇する。
【００７７】
その後、時刻ｔ１２でバッテリ外れが発生した場合、バッテリ２０の電圧が低下する。これにより、第２変圧器５の起動信号ＥＮの電圧がＬｏｗからＨｉｇｈになり、第２変圧器５の出力に接続される配線Ｖ４の電圧が上昇を開始する。その後、配線Ｖ４の電圧が３．３Ｖに達すると、ゲート信号Ｇ１の電圧がＬｏｗからＨｉｇｈになり、これに伴って第１ＦＥＴｔｒ１がオフになり、第２ＦＥＴｔｒ２がオンになる。
【００７８】
したがって、電源制御装置１ａは、バッテリ外れが発生してから微小時間（時刻ｔ１２〜ｔ１３までの間）、第１蓄電器２に充電された電力により、制御装置２３およびＤＲ２４へ電力を供給する配線Ｖ２の電圧を適正な電圧に維持することができる。
【００７９】
その後、電源制御装置１ａでは、第１蓄電器２の電圧が低下して、数十ｍｓｅｃ後に第１変圧器４の動作電圧以下となり、時刻ｔ１４で第１変圧器４が停止するが、このとき、既に１ＦＥＴｔｒ１がオフになり、第２ＦＥＴｔｒ２がオンになっている。
【００８０】
このため、電源制御装置１ａは、時刻ｔ１４から時刻ｔ１５になるまでの数ｓｅｃの間、第２蓄電器３に充電された電力により、制御装置２３およびＤＲ２４へ電力を供給する配線Ｖ２の電圧を適正な電圧に維持することができる。
【００８１】
なお、時刻ｔ１５以後、第２蓄電器３の出力に接続される配線Ｖ３の電圧が３．３Ｖを下回ると、配線Ｖ２、Ｖ３の電圧が徐々に低下する。ただし、制御装置２３は、バッテリ外れが発生した時刻ｔ１２から、配線Ｖ２、Ｖ３の電圧が低下を開始する時刻ｔ１５までの数ｓｅｃの間の映像をＤＲ２４によって記録させることができる。
【００８２】
次に、図６を参照し、変形例２に係る電源制御装置１ｂを含む電源制御システム１０２の構成の一例について説明する。図６は、実施形態の変形例２に係る電源制御システム１０２の構成の一例を示す説明図である。
【００８３】
図６に示すように、電源制御システム１０２は、電源制御装置１ｂの構成が図２に示す電源制御装置１とは異なり、その他の構成は、図２に示すものと同様の構成である。このため、ここでは、変形例２に係る電源制御装置１ｂと図２に示す電源制御装置１との相違点について説明する。
【００８４】
電源制御装置１ｂは、電圧検知部１１、Ｇセンサ１２、論理回路１３、第１スイッチＳｗ１、および第２スイッチＳｗ２をさらに備える点が図２に示す電源制御装置１とは異なり、その他の構成は、図２に示すものと同様の構成である。
【００８５】
第１スイッチＳｗ１は、第１変圧器４とＡＶＮ２５とを接離可能に接続し、論理回路１３の制御にしたがって、オンとオフとが切り替えられる。また、第２スイッチＳｗ２は、第３変圧器６とＡＶＮ２５とを接離可能に接続し、論理回路１３の制御にしたがって、オンとオフとが切り替えられる。
【００８６】
電圧検知部１１は、バッテリ２０および論理回路１３に接続される。そして、電圧検知部１１は、バッテリ２０の電圧を検知し、バッテリ２０からの電力供給が途絶えた場合に、その旨を示す給電遮断信号を論理回路１３へ出力する。
【００８７】
Ｇセンサ１２は、電源制御装置１ｂの加速度を検知するジャイロセンサである。Ｇセンサ１２は、バッテリ外れが発生する程度の加速度（衝撃）を検知した場合に、その旨を示すバッテリ外れ信号を論理回路１３へ出力する。
【００８８】
論理回路１３は、電圧検知部１１から給電遮断信号が入力されず、Ｇセンサ１２からバッテリ外れ信号が入力されない期間には、第１スイッチＳｗ１および第２スイッチＳｗ２をオンにする。
【００８９】
また、論理回路１３は、電圧検知部１１から給電遮断信号が入力された場合、またはＧセンサ１２からバッテリ外れ信号が入力された場合に、第１スイッチＳｗ１および第２スイッチＳｗ２をオフにする。
【００９０】
これにより、電源制御装置１ｂは、バッテリ外れの発生時に、第１蓄電器２から制御装置２３およびＤＲ２４の電力供給を機械的に遮断する。これにより、制御装置２３は、第１蓄電器２に充電された電力をＤＲ２４やＡＶＮ２５のリセット処理に有効利用することができる。
【００９１】
次に、図７Ａ、図７Ｂ、図７Ｃ、図８Ａ、図８Ｂ、および図８Ｃを参照し、変形例３に係る電源制御装置１ｃについて説明する。図７Ａ、図７Ｂ、および図７Ｃは、実施形態の変形例３に係る電源制御装置１ｃの動作説明図である。
【００９２】
図８Ａ、図８Ｂ、および図８Ｃは、実施形態の変形例３に係る電源制御装置１ｃによる作用効果を示す説明図である。なお、図８Ａ、図８Ｂ、および図８Ｃには、第１蓄電器２の出力電圧の推移を示している。
【００９３】
電源制御装置１ｃは、第１蓄電器２の充電に関する構成が図２に示す電源制御装置１とは異なり、その他の構成は、図２に示すものと同様の構成である。このため、図７Ａ、図７Ｂ、および図７Ｃには、電源制御装置１ｃが備える構成のうち、第１蓄電器２の充電に関する構成と、バッテリ２０および制御装置２３とを選択的に示している。
【００９４】
図７Ａに示すように、電源制御装置１ｃは、電圧検知部１４と、スイッチＳｗ３とをさらに備える点が、図２に示す電源制御装置１とは異なる。スイッチＳｗ３は、バッテリ２０と第１変圧器４とを接続する配線と第１蓄電器２とを接離可能に接続し、電圧検知部１４の制御にしたがって、オンとオフとが切り替えられる。
【００９５】
具体的には、図７Ａに示すように、電圧検知部１４は、バッテリ２０に接続されてバッテリ２０の電圧を検知し、バッテリ２０の電圧が閾値を超える場合に、スイッチＳｗ３へ制御信号を出力することによって、スイッチＳｗ３をオンにする。
【００９６】
これにより、バッテリ２０から第３ダイオードＤ３およびスイッチＳｗ３を介して、第１蓄電器２に電力が供給され、バッテリ２０から第３ダイオードＤ３を介して、第１変圧器４へ電力が供給される。
【００９７】
そして、図７Ｂに示すように、電圧検知部１４は、第１蓄電器２の充電が完了した場合に、スイッチＳｗ３へ制御信号を出力することによって、スイッチＳｗ３をオフにする。これにより、電源制御装置１ｃは、次にスイッチＳｗ３がオンになるまで、第１蓄電器２の電圧を、例えば、フル充電状態の１２Ｖに維持することができる。なお、スイッチＳｗ３オフの間、バッテリ２０から第３ダイオードＤ３を介して第１変圧器４へ電力が供給される。
【００９８】
その後、図７Ｃに示すように、電圧検知部１４は、バッテリ２０の電圧が閾値以下になる場合に、スイッチＳｗ３をオンにする。これにより、第１蓄電器２は、バッテリ２０の電圧が閾値まで低下した直後に、電圧がフル充電状態の１２Ｖの電力を第１変圧器４へ出力することができる。
【００９９】
したがって、電源制御装置１ｃは、例えば、閾値を可及的に低くしたいという要望がある場合に、瞬断が発生しても第１蓄電器２から制御装置２３へ正常にリセット処理を完了させることができる電力を供給することができる。
【０１００】
例えば、電源制御装置１ｃは、仮にスイッチＳｗ３を備えない構成であっても、閾値が比較的高い７．５Ｖの場合、瞬断が発生しても第１蓄電器２から制御装置２３へ正常にリセット処理を完了させることができる電力を供給することができる。
【０１０１】
具体的には、図８Ａに示すように、例えば、第１蓄電器２は、時刻ｔ２１で瞬断が発生した場合、出力電圧が１２Ｖから閾値の７．５Ｖになるまで制御装置２３が通常の動作制御を行うので、その間に出力電圧が急激に低下する。
【０１０２】
ただし、その後の第１蓄電器２は、出力電圧が７．５Ｖの時点から制御装置２３が通常の動作制御より消費電力が少ないリセット処理を行うので、制御装置２３がリセット処理を完了する時刻ｔ２３まで必要最小限の出力電圧を制御装置２３へ供給可能である。
【０１０３】
しかし、第１蓄電器２は、例えば、閾値が４．５Ｖまで引き下げられると、瞬断が発生した場合に、第１蓄電器２から制御装置２３へ正常にリセット処理を完了させることができる電力を供給不可能になることがある。
【０１０４】
具体的は、図８Ｂに示すように、第１蓄電器２は、出力電圧が１２Ｖから閾値の４．５Ｖになるまで制御装置２３が通常の動作制御を行うと、その後、リセット処理を行った場合に、リセット処理が完了する時刻ｔ２３よりも前に放電が終了することがある。
【０１０５】
そこで、電源制御装置１ｃは、スイッチＳｗ３を備え、図７Ａ、図７Ｂ、および図７Ｃに示すスイッチＳｗ３のオンオフ動作を行う。これにより、第１蓄電器２は、出力電圧が１２Ｖから閾値の４．５Ｖになった直後の時刻ｔ２２の時点で、電圧がフル充電状態の１２Ｖの電力を第１変圧器４へ出力することができる。
【０１０６】
したがって、電源制御装置１ｃは、閾値を可及的に低くしたいという要望がある場合に、瞬断が発生しても第１蓄電器２から制御装置２３へ正常にリセット処理を完了させることができる電力を供給することができる。
【０１０７】
なお、変形例３に係る電源制御装置１ｃの第１蓄電器２を充電する構成は、変形例１に係る電源制御装置１ａ、および変形例２に係る電源制御装置１ｂに適用しても、変形例３に係る電源制御装置１ｃと同様の効果が得られる。
【０１０８】
次に、図９Ａおよび図９Ｂを参照し、変形例４に係る電源制御装置１ｄについて説明する。図９Ａおよび図９Ｂは、実施形態の変形例４に係る電源制御装置１ｄの動作説明図である。
【０１０９】
電源制御装置１ｄは、第１蓄電器２の充電に関する構成が図２に示す電源制御装置１とは異なり、その他の構成は、図２に示すものと同様の構成である。このため、図９Ａおよび図９Ｂには、電源制御装置１ｄが備える構成のうち、第１蓄電器２の充電に関する構成と、バッテリ２０および制御装置２３とを選択的に示している。
【０１１０】
図９Ａに示すように、電源制御装置１ｄは、電圧検知部１５と、ＦＥＴｔｒ４とをさらに備える点が、図２に示す電源制御装置１とは異なる。ＦＥＴｔｒ４は、第３ダイオードＤ３に並列に接続され、電圧検知部１５の制御にしたがって、オンとオフとが切り替えられる。
【０１１１】
具体的には、図９Ａに示すように、電圧検知部１５は、バッテリ２０に接続されてバッテリ２０の電圧を検知し、バッテリ２０の電圧が閾値を超える場合に、ＦＥＴｔｒ４へ制御信号を出力することによって、ＦＥＴｔｒ４をオンにする。
【０１１２】
これにより、バッテリ２０からＦＥＴｔｒ４を介して、第１蓄電器２および第１変圧器４へ電力が供給される。このとき、ＦＥＴｔｒ４は、第３ダイオードＤ３よりも電力損失が少ないため、第３ダイオードＤ３を経由する場合に比べて、電圧が高い電力を第１蓄電器２および第１変圧器４へ出力することができる。これにより、第１蓄電器２は、第３ダイオードＤ３を介して供給される電力によって充電される場合よりも高い電圧に充電される。
【０１１３】
その後、図９Ｂに示すように、電圧検知部１５は、バッテリ２０の電圧が閾値以下になる場合に、ＦＥＴｔｒ４へ制御信号を出力することによって、ＦＥＴｔｒ４をオフにする。これにより、第１蓄電器２は、第３ダイオードＤ３を介して供給される電力によって充電される場合よりも電圧の高い電力を第１変圧器４へ供給することができる。また、このとき、ＦＥＴｔｒ４がオフになっており、第３ダイオードＤ３が逆電圧保護素子として機能するため、バッテリ２０への電流の逆流を防止することができる。
【０１１４】
なお、変形例４に係る電源制御装置１ｄの第１蓄電器２を充電する構成は、変形例１に係る電源制御装置１ａ、および変形例２に係る電源制御装置１ｂに適用しても、変形例４に係る電源制御装置１ｄと同様の効果が得られる。
【０１１５】
次に、図１０Ａおよび図１０Ｂを参照し、変形例５に係る電源制御装置１ｅについて説明する。図１０Ａおよび図１０Ｂは、実施形態の変形例５に係る電源制御装置１ｅの動作説明図である。
【０１１６】
図１０Ａに示すように、電源制御装置１ｅは、図９Ａおよび図９Ｂに示す電源制御装置１ｄから第３ダイオードＤ３を削除した構成である。
【０１１７】
図１０Ａに示すように、電圧検知部１５は、バッテリ２０の電圧が閾値を超える場合に、ＦＥＴｔｒ４へ制御信号を出力することによって、ＦＥＴｔｒ４をオンにする。これにより、ＦＥＴｔｒ４は、第３ダイオードＤ３が設けられる場合に比べて、電圧が高い電力を第１蓄電器２および第１変圧器４へ出力することができる。したがって、第１蓄電器２は、第３ダイオードＤ３が設けられる場合よりも高い電圧に充電される。
【０１１８】
その後、図１０Ｂに示すように、電圧検知部１５は、バッテリ２０の電圧が閾値以下になる場合に、ＦＥＴｔｒ４へ制御信号を出力することによって、ＦＥＴｔｒ４をオフにする。これにより、第１蓄電器２は、第３ダイオードＤ３が設けられる場合よりも電圧の高い電力を第１変圧器４へ供給することができる。また、このとき、ＦＥＴｔｒ４がオフになっているため、バッテリ２０への電流の逆流を防止することができる。
【０１１９】
なお、変形例５に係る電源制御装置１ｅの第１蓄電器２を充電する構成は、変形例１に係る電源制御装置１ａ、および変形例２に係る電源制御装置１ｂに適用しても、変形例５に係る電源制御装置１ｅと同様の効果が得られる。しかも、電源制御装置１ｅは、第３ダイオードＤ３を削除することができるので、製造工程の簡略化および製造コストの削減が可能である。
【０１２０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２１】
１、１ａ、１ｂ、１ｃ、１ｄ、１ｅ  電源制御装置
２  第１蓄電器
３  第２蓄電器
４  第１変圧器
５  第２変圧器
６  第３変圧器
７  充電回路
８  第４変圧器
９  第１電圧検知部
１０  第２電圧検知部
１２  Ｇセンサ
１３  論理回路
１１、１４、１５  電圧検知部
２０  バッテリ
２１  電子機器
２２  外部装置
２３  制御装置
３１  ＡＶＮ制御部
３２  ＤＲ制御部
１００、１０１、１０２  電源制御システム
Ｄ１  第１ダイオード
Ｄ２  第２ダイオード
Ｄ３  第３ダイオード
Ｄ４、Ｄ５、Ｄ６  ダイオード
ＥＮ  起動信号
Ｇ１  ゲート信号
Ｒ  抵抗
Ｓｗ１  第１スイッチ
Ｓｗ２  第２スイッチ
Ｓｗ３  スイッチ
ｔｒ１第１ＦＥＴ
ｔｒ２第２ＦＥＴ
ｔｒ３第３ＦＥＴ
ｔｒ４  ＦＥＴ
【図１】
2018117475.tif 000003
【図２】
2018117475.tif 000004
【図３】
2018117475.tif 000005
【図４】
2018117475.tif 000006
【図５】
2018117475.tif 000007
【図６】
2018117475.tif 000008
【図７Ａ】
2018117475.tif 000009
【図７Ｂ】
2018117475.tif 000010
【図７Ｃ】
2018117475.tif 000011
【図８Ａ】
2018117475.tif 000012
【図８Ｂ】
2018117475.tif 000013
【図８Ｃ】
2018117475.tif 000014
【図９Ａ】
2018117475.tif 000015
【図９Ｂ】
2018117475.tif 000016
【図１０Ａ】
2018117475.tif 000017
【図１０Ｂ】
2018117475.tif 000018